(57)【要約】【課題】  重りの材料として鉛に代わるかしめが困難な代替材料を用いながら、重りを、格別の処理をすることなく、既存のかしめ機の設備を利用して鍵本体に容易に取り付けることができ、それにより、製造コストを削減することができる鍵盤楽器の鍵を提供する。【解決手段】  埋設孔１１を形成した揺動自在の鍵本体２と、埋設孔１１に挿入された重り４と、鉛以外の延性を有する材料で構成され、埋設孔１１に挿入され、重り４に係合するとともに、かしめにより圧潰され、埋設孔１１の内面に圧着されることによって、重り４を鍵本体２に固定する重り固定部材７と、を備えている。【選択図】  図２
2005121746.tif 000002
【特許請求の範囲】
【請求項１】
埋設孔を形成した揺動自在の鍵本体と、
前記埋設孔に挿入された重りと、
鉛以外の延性を有する材料で構成され、前記埋設孔に挿入され、前記重りに係合するとともに、かしめにより圧潰され、前記埋設孔の内面に圧着されることによって、前記重りを前記鍵本体に固定する重り固定部材と、
を備えていることを特徴とする鍵盤楽器の鍵。
【請求項２】
前記重りは貫通する挿入孔を有し、
前記重り固定部材は、頭部と、当該頭部から延び、前記重りよりも長い軸部とからリベット状に形成され、
前記重りの前記挿入孔に前記軸部を挿入した状態で前記重り固定部材をかしめることにより、圧潰された前記頭部が、前記埋設孔の内面に圧着されるとともに、圧潰された前記軸部の先端部との間に前記重りを挟持することによって、前記重りが前記鍵本体に固定されていることを特徴とする、請求項１に記載の鍵盤楽器の鍵。
【請求項３】
前記重り固定部材は２つの重り固定部材で構成され、
当該２つの重り固定部材を前記重りの両側に配置した状態でかしめることにより、圧潰された前記２つの重り固定部材が、前記埋設孔の内面に圧着されるとともに、前記重りを挟持することによって、前記重りが前記鍵本体に固定されていることを特徴とする、請求項１に記載の鍵盤楽器の鍵。
【請求項４】
前記重りの両端面および前記重り固定部材の一方の中心には凹部が形成され、他方の中心には前記凹部に係合する凸部が設けられていることを特徴とする、請求項３に記載の鍵盤楽器の鍵。
【発明の詳細な説明】
【技術分野】
【０００１】
本発明は、ピアノなどの鍵に関し、特に所望のタッチ重さを得るために重りを取り付けたアコースティックピアノの鍵に関する。
【背景技術】
【０００２】
鍵盤楽器、特にグランドピアノなどのアコースティックピアノには一般に、所要のタッチ重さ（静荷重）を得るために、鍵に重りが取り付けられている。鍵は、前後方向に延び、中央部において支点に揺動自在に支持される鍵本体と、これに取り付けられた重りなどで構成されている。鍵本体の支点よりも手前側（演奏者側）には、側方に貫通する埋設孔が形成されている。重りは、従来一般に鉛で構成され、円柱状に成形されており、埋設孔に挿入された状態で、かしめ機による両側からのかしめによって、鍵本体に取り付けられている。このように、重りの材料として鉛が採用されるのは、金属の中で比重が高い（約１１．３）こと、柔軟性および延性に富むため、成形や加工を行いやすいことや安価であることなどによる。しかし、鉛は有害物質であり、他の代替材料を使用することが望ましい。
【０００３】
このような鉛以外の材料で構成された重りを使用した従来のピアノの鍵として、例えば特許文献１に開示されたものが知られている。このピアノの鍵では、重りは、タングステン粉末と合成樹脂をブレンドした複合材料で構成されている。このタングステン粉末は主として、タングステン粉末の製造工程において発生する凝集（２次粒子）を砕くことにより得られる最小単位の粒子（１次粒子）の集合体で構成されている。合成樹脂は、熱可塑性樹脂や熱可塑性エラストマーで構成されている。このように、タングステン粉末として１次粒子から成るものを用いることによって、合成樹脂に対する充填性が向上し、高い割合で充填することが可能になる。そして、射出成形または押出成形することにより、高比重の重りが作製される。合成樹脂によって可塑性や弾性が付与された重りは、鍵本体の埋設孔に挿入され、かしめなどによって、鍵本体に固定される。
【０００４】
しかし、このピアノの鍵では、タングステン粉末と合成樹脂との複合材料で構成された重りを作製するために、比較的硬度の高いタングステンを砕くことによって、２次粒子を作製する工程や、２次粒子をさらに砕いて１次粒子を作製する工程などが必要になる。このため、製造工程が複雑になるとともに、そのための専用設備が必要になり、その分、製造コストが増大する。
【０００５】
また、鉛以外の材料を使用した他の従来の重りとして、特許文献２に開示されたものが知られている。図５に示すように、この重り５１は、重り取付部材５２と、これに嵌め込まれた重り本体５３で構成され、全体として円柱状に形成されている。重り取付部材５２は、断面円形の挿入孔５２ａを有する円筒状のものであり、ゴムなどの弾性材料で構成されている。重り本体５３は、重り取付部材５２の挿入孔５２ａに嵌め込み可能な円柱状のものであり、粉状のタングステンと合成樹脂をブレンドした複合材料の成形品で構成されている。以上の構成による重り５１は、重り取付部材５２の挿入孔５２ａに重り本体５３を挿入した状態で、鍵本体の埋設孔（ともに図示せず）に挿入することによって、鍵本体に取り付けられている。このように、比較的硬度の高い重り本体５３を、重り取付部材５２を介することによって、鍵本体に取り付けることが可能になる。
【０００６】
しかし、この重り５１においても、比較的硬度の高いタングステンを粉状にする工程や、粉状のタングステンを合成樹脂とブレンドする工程があるため、重り本体５３を作製するのに手間を要する。また、鍵本体の埋設孔には、ゴムなどの弾性材料から成る重り取付部材５２が挿入されているため、かしめをすることができない。このように、製造工程が複雑であるとともに、既存のかしめ機の設備を利用できないため、製造コストが増大してしまう。
【０００７】
本発明は、上記課題を解決するためになされたものであり、重りの材料として鉛に代わるかしめが困難な代替材料を用いながら、重りを、格別の処理をすることなく、既存のかしめ機の設備を利用して鍵本体に容易に取り付けることができ、それにより、製造コストを削減することができる鍵盤楽器の鍵を提供することを目的とする。
【０００８】
【特許文献１】特開２００２−２６５７９３号公報（第２〜３頁、第１図）
【特許文献２】特開２００１−１４７６８５号公報（第３頁、第２図）
【発明の開示】
【課題を解決するための手段】
【０００９】
この目的を達成するために、請求項１に係る鍵盤楽器の鍵は、埋設孔を形成した揺動自在の鍵本体と、埋設孔に挿入された重りと、鉛以外の延性を有する材料で構成され、埋設孔に挿入され、重りに係合するとともに、かしめにより圧潰され、埋設孔の内面に圧着されることによって、重りを鍵本体に固定する重り固定部材と、を備えていることを特徴とする。
【００１０】
この鍵盤楽器の鍵によれば、重りを鍵本体に固定するための重り固定部材を備えており、この重り固定部材は、延性を有する鉛以外の材料、例えばスズやアルミニウムなどで構成されている。そして、この重り固定部材は、鍵本体の埋設孔に、重りとともに挿入され、重りと係合した状態でかしめられる。これにより、圧潰された重り固定部材が、埋設孔の内面に圧着されることによって、重りは、重り固定部材に係止された状態で、鍵本体に固定される。これにより、かしめが困難な高比重の材料、例えば単体のタングステン（比重：約１９．１）やビスマス（比重：約１１．３）から成る重りを、延性を有する重り固定部材を介して、鍵本体に固定することができ、それにより、鍵に所要のタッチ重さを付与することができる。したがって、従来と異なり、重りを作製するために高比重の材料を粉末化するなどの工程が不要になる。また、かしめによって、鍵本体に重りを固定するので、既存のかしめ機をそのまま利用することができる。以上のように、重りに格別の処理をすることなく、単体の高比重の材料から成る重りを使用し、既存のかしめ機の設備を利用しながら、重りを容易に取り付けることができ、その結果、製造コストを削減することができる。
【００１１】
請求項２に係る発明は、請求項１に記載の鍵盤楽器の鍵において、重りは貫通する挿入孔を有し、重り固定部材は、頭部と、頭部から延び、重りよりも長い軸部とからリベット状に形成され、重りの挿入孔に軸部を挿入した状態で重り固定部材をかしめることにより、圧潰された頭部が、埋設孔の内面に圧着されるとともに、圧潰された軸部の先端部との間に重りを挟持することによって、重りが鍵本体に固定されていることを特徴とする。
【００１２】
この構成によれば、重り固定部材の軸部を重りの挿入孔に挿入し、頭部を重りに当接させることにより、重りよりも長い軸部の先端部が重りの挿入孔から突出した状態になる。このように、重り固定部材を挿入した状態で、重りを鍵本体の埋設孔に挿入し、かしめることにより、圧潰された重り固定部材の頭部が、埋設孔の内面に圧着されるとともに、圧潰された軸部の先端部との間に重りを挟持することによって、重りが鍵本体に固定される。このように、重りを鍵本体に固定するのに重り固定部材が１つでよく、その分、部品点数および取付工数が低減されることによって、製造コストを削減することができる。また、重り固定部材の軸部が重りの挿入孔にその全体にわたって挿入されているので、かしめの際に、重り固定部材の頭部が重りに対して径方向にずれたり、傾いたりすることがない。したがって、かしめによる埋設孔への重り固定部材の圧着を、バランス良く安定して行うことができる。
【００１３】
請求項３に係る発明は、請求項１に記載の鍵盤楽器の鍵において、重り固定部材は２つの重り固定部材で構成され、２つの重り固定部材を重りの両側に配置した状態でかしめることにより、圧潰された２つの重り固定部材が、埋設孔の内面に圧着されるとともに、重りを挟持することによって、重りが鍵本体に固定されていることを特徴とする。
【００１４】
この構成によれば、重りの両側に２つの重り固定部材を配置した状態でかしめることにより、圧潰された各重り固定部材が、埋設孔の内面に圧着されるとともに重りを挟持することによって、重りが鍵本体に固定される。このように、本発明では、重りをその両側の２つの重り固定部材によって挟持するので、請求項２の場合よりも、重りをしっかりと固定することができる。また、重りおよび重り固定部材を、単純に構成でき、例えば円柱状の重りと２つの円板状の重り固定部材のみで構成できるので、それにより、製造コストを削減することができる。
【００１５】
請求項４に係る発明は、請求項３に記載の鍵盤楽器の鍵において、重りの両端面および重り固定部材の一方の中心には凹部が形成され、他方の中心には凹部に係合する凸部が設けられていることを特徴とする。
【００１６】
この構成によれば、重りの両端面および重り固定部材の一方の中心に形成された凹部に、他方の中心に設けられた凸部が係合した状態で、重り固定部材がかしめられる。したがって、重りに対する重り固定部材の心合わせを、精度良く、容易に行うことができ、それにより、かしめによる埋設孔への重り固定部材の圧着を、バランス良く、安定して行うことができる。また、凹部と凸部との係合により、重りが重り固定部材によって係止されるので、鍵本体に対する重りのがたつきを防止でき、その結果、押鍵時における雑音の発生やタッチ感の悪化を防止することができる。
【図面の簡単な説明】
【００１７】
【図１】本発明の第１実施形態によるグランドピアノの鍵を示す斜視図である。
【図２】図１の鍵の（ａ）かしめ前、および（ｂ）かしめ後における概略横断面図である。
【図３】第２実施形態による鍵の（ａ）かしめ前、および（ｂ）かしめ後における概略横断面図である。
【図４】第２実施形態の変形例による鍵の（ａ）かしめ前、および（ｂ）かしめ後における概略横断面図である。
【図５】従来のグランドピアノの鍵の重りを示す斜視図である。
【発明を実施するための最良の形態】
【００１８】
以下、本発明の好ましい実施形態を、図面を参照しながら、詳細に説明する。図１は、本発明の第１実施形態によるグランドピアノの鍵（白鍵）を示している。同図に示すように、この鍵１は、鍵本体２、鍵本体２の前部に取り付けられた白鍵カバー３、重り４および重り固定部材７などを備えている。
【００１９】
鍵本体２は、スプルスなどの比較的軽量で、粘り強く、弾力性のある木質材で構成され、矩形の断面を有し、前後方向に延びている。白鍵カバー３は、アクリルなどの合成樹脂、または象牙などによりＬ字形に形成され、鍵本体２の上面前半部および前面に、これらを覆うように接着されている。鍵本体２の上面の中央部には中座板５ａが接着されており、これらを上下方向に貫通するようにバランスピン孔５が形成されている。このバランスピン孔５が、立設するバランスピン（図示せず）に係合することによって、このバランスピンに鍵本体２が揺動自在に支持されている。鍵本体２の下面の前端部には、フロントピン孔６が形成されていて、立設するフロントピン（図示せず）が係合することによって、鍵１の左右の振れが防止される。
【００２０】
さらに、鍵本体２の上面のバランスピン孔５よりも後ろ側には、キャプスタン座板８ａを介してキャプスタンスクリュー８が設けられており、このキャプスタンスクリュー８の上にアクション（図示せず）が載置されている。以上の構成により、鍵１の前部を押鍵したときに、鍵１はバランスピンを中心として揺動するのに伴い、アクションがキャプスタンスクリュー８で突き上げられることで作動する。また、鍵１のタッチ重さは、アクションと鍵１の重さによるバランスピン回りのモーメントのバランスによって定められることになる。
【００２１】
鍵本体２には、重り４を固定するための埋設孔１１が形成されている。この埋設孔１１は、バランスピン孔５よりも手前側の所定位置に側方に貫通しており、断面円形で、所定の径を有している。
【００２２】
重り４は、断面円形の挿入孔１２を有する円柱状のものであり、鉛以外の高比重の材料、例えば単体のタングステン（比重：約１９．１）で構成されている。重り４の径は、埋設孔１１の径とほぼ同じである。また、重り４として、長さが互いに異なる複数種類の重り４が用意されている。このうち、図２は、最も長い重り４を示しており、その長さは、埋設孔１１の長さ、すなわち鍵本体２の幅よりも若干短い。
【００２３】
重り固定部材７は、鉛以外の延性を有する材料、例えばスズで構成されていて、図１に示すように、円板状の頭部１３と、その中心から延びる断面円形の軸部１４とから、リベット状に形成されている。頭部１３は、所定の厚さと、重り４の径とほぼ同じ径を有している。また、軸部１４の長さは重り４よりも長く、径は重り４の挿入孔１２の径とほぼ同じである。
【００２４】
以上の構成の重り４は、重り固定部材７を用いて、鍵本体２に次のようにして固定される。図２（ａ）に示すように、まず、重り４の挿入孔１２に、重り固定部材７の軸部１４を挿入し、頭部１３が重り４に当接するとともに軸部１４の先端部１５が挿入孔１２から突出した状態にする。次に、その状態で、重り４を重り固定部材７とともに鍵本体２の埋設孔１１に挿入し、埋設孔１１の両側から、重り固定部材７を、かしめ機のかしめ用ロッドＰ，Ｐでプレスすることによってかしめる。これにより、図２（ｂ）に示すように、重り固定部材７の頭部１３、および軸部１４の先端部１５がともに圧潰され、圧潰された頭部１３は、その外周面が埋設孔１１の内面に食い込む（圧着される）とともに、圧潰された軸部１４の先端部１５との間に重り４を挟持する。このように、重り４は、かしめにより埋設孔１１に圧着された重り固定部材７を介して、鍵本体２に固定される。
【００２５】
以上のように、本実施形態のグランドピアノの鍵１によれば、鍵本体２の埋設孔１１に、重り４とともに、延性を有するスズで構成された重り固定部材７を挿入し、かしめることによって、重り４を、埋設孔１１の内面に圧着された重り固定部材７を介して、鍵本体２に固定する。したがって、かしめが困難な硬度の高い単体のタングステン製の重り４を、鍵本体２に固定することができる。また、重り４の材料として、比重が非常に高いタングステンを採用しているので、重り４の重さを十分に確保することができる。さらに、重り４として、長さが互いに異なる複数種類の重り４が用意されているので、それらの重り４の中から所望の重さを有するものを選択することによって、鍵１に所望のタッチ重さを付与することができる。
【００２６】
また、従来と異なり、比較的硬度の高いタングステンを粉末状にしたり、合成樹脂とブレンドしたりする工程が不要になる。さらに、かしめによって重り４を鍵本体２に固定するので、既存のかしめ機の設備を使用することができる。また、１つの重り固定部材７で重り４を鍵本体２に固定できるので、部品点数および取付工数が少なくて済む。以上の結果、製造コストを削減することができる。
【００２７】
さらに、重り固定部材７の軸部１４が、その全体にわたって重り４の挿入孔１２に挿入されているので、かしめの際に、重り固定部材７の頭部１３が、重り４に対して径方向にずれたり、傾いたりすることがない。したがって、かしめによる埋設孔１１への重り固定部材７の圧着を、バランスよく安定して行うことができる。
【００２８】
図３は、本発明の第２実施形態による鍵盤楽器の鍵２１を示している。同図において、第１実施形態と同じ構成の部分については、同じ符号を用いて示している。本実施形態の鍵盤楽器の鍵２１は、第１実施形態と比較して、重り２２の形状および重り固定部材２３の数などが異なるものである。
【００２９】
同図に示すように、重り２２は、所定の径および長さを有する円柱状のものであり、第１実施形態と同様に、単体のタングステンで構成されている。一方、重り固定部材は２つの重り固定部材２３，２３で構成されている。各重り固定部材２３は、所定の厚さを有する円板状のものであり、その径は、埋設孔１１の径とほぼ等しい。
【００３０】
以上の構成により、重り２２は、２つの重り固定部材２３，２３を用いて、次のようにして鍵本体２に固定される。まず、重り２２を鍵本体２の埋設孔１１に挿入し、さらに重り２２の両側に各重り固定部材２３を配置する（同図（ａ）の状態）。次いで、この状態で、重り固定部材２３，２３を、埋設孔１１の両側からかしめる。これにより、同図（ｂ）に示すように、重り固定部材２３，２３が圧潰され、それらの外周面が埋設孔１１の内面に圧着されるとともに、重り固定部材２３，２３間に重り２２を挟持することによって、重り２２が鍵本体２に固定される。
【００３１】
以上のように、第２実施形態においても、第１実施形態と同様に、タングステン製の重り２２を、重り固定部材２３，２３をかしめることによって、鍵本体２に固定することができる。このように、第２実施形態では、重り２２をその両側の２つの重り固定部材２３，２３によって挟持するので、第１実施形態の場合よりも、重り２２を鍵本体２にしっかりと固定できる。また、第１実施形態と異なり、重り２２を挿入孔１２を有しない単純な円柱状に形成し、重り固定部材２３を単純な円板状に形成すればよいので、それにより、製造コストを削減することができる。
【００３２】
図４は、第２実施形態の変形例による鍵盤楽器の鍵３１を示している。同図に示すように、この鍵３１の重り３２は、第２実施形態と同様の円柱状の重りの両端面の中心に、凹部３３，３３をそれぞれ形成したものであり、各重り固定部材３４は、第２実施形態と同様の重り固定部材の中心に、重り３２の凹部３３に係合する凸部３５を設けたものである。
【００３３】
以上の構成により、重り３２を鍵本体２の埋設孔１１に挿入し、さらに重り３２の各凹部３３に、重り固定部材３４の凸部３５を係合させた状態で、第２実施形態と同様に、両重り固定部材３４，３４をかしめることによって、重り３２が鍵本体２に固定される。
【００３４】
以上のように、重り３２の両端面の各凹部３３に重り固定部材３４の凸部３５が係合した状態で、重り固定部材３４，３４がかしめられる。したがって、重り３２に対する各重り固定部材３４の心合わせを精度良く、容易に行うことができ、それにより、かしめによる埋設孔１１への重り固定部材３４の圧着をバランスよく、安定して行うことができる。また、凹部３３と凸部３５との係合により、重り３２が重り固定部材３４，３４に係止されるので、鍵本体２に対する重り３２のがたつきを防止でき、その結果、押鍵時における雑音の発生やタッチ感の悪化を防止することができる。
【００３５】
なお、本発明は、説明した実施形態に限定されることなく、種々の態様で実施することができる。例えば図４の変形例では、重り３２の両端面に凹部３３，３３が形成されているが、これに代えて、第１実施形態の挿入孔１２のような貫通する孔を形成してもよい。また、重り３２側に凹部３３を、重り固定部材３４側に凸部３５を設けているが、これらを逆に配置してもよい。また、実施形態では、重り固定部材の材料として、スズを採用したが、鉛以外の延性を有する他の適当な材料、例えばアルミニウムを用いてもよい。また、本実施形態では、鍵本体２に形成された埋設孔１１の数が１つであるが、これを２つ以上としてもよいのは勿論である。また、重りの材料としてタングステンを採用したが、鉛以外の高比重の材料、例えばビスマスでもよい。
【００３６】
さらに、実施形態は、グランドピアノの鍵の例であるが、本発明は、アップライトピアノ、電子ピアノや鍵盤楽器玩具の鍵など、重りが取り付けられるすべての鍵に広く適用することが可能である。その他、本発明の趣旨の範囲内で、細部の構成を適宜、変更することが可能である。
【符号の説明】
【００３７】
１  鍵
２  鍵本体
４  重り
７  重り固定部材
１１  埋設孔
１２  挿入孔
１３  頭部
１４  軸部
１５  先端部
２１  鍵
２２  重り
２３  重り固定部材
３１  鍵
３２  重り
３３  凹部
３４  重り固定部材
３５  凸部
【図１】
2005121746.tif 000003
【図２】
2005121746.tif 000004
【図３】
2005121746.tif 000005
【図４】
2005121746.tif 000006
【図５】
2005121746.tif 000007